(57)【要約】  圧縮力または張力を生成するための接着剤で据え付けられたクランプ様デバイス（２、１０２）が、フレーム（４、１０４）と、フレームに可動接続され、ある角度に配設された少なくとも２つのプランジャ（６、８、１０６、１０８）と、フレームおよびプランジャの少なくとも１つに取り付けられた両面伸長剥離性接着剤（１０、１２、１６、１８、１１０、１１２、１１６、１１８）と、を含む。フレームおよび／またはプランジャは、表面または物体（３４、３６、１４４）にしっかりと接着接合され、接着剤を伸長させることによって、表面にダメージを与えることも、接着剤の残留物を残すこともなく、フレーム、プランジャ、および／または表面から後できれいに取り外し可能である。
2007512972.tif 000002
【特許請求の範囲】
【請求項１】
（ａ）フレームと、
（ｂ）前記フレームに可動接続され、ある角度に配設された少なくとも２つのプランジャと、
（ｃ）前記フレームおよび前記プランジャの少なくとも１つに取り付けられた両面伸長剥離性接着剤と、を備える、クランプ様デバイス。
【請求項２】
前記伸長剥離性接着剤が、前記フレームに取り付けられた、請求項１に記載のデバイス。
【請求項３】
前記伸長剥離性接着剤が、前記プランジャに取り付けられた、請求項１に記載のデバイス。
【請求項４】
前記フレームが、ある角度に配設された一対の接続部分を含むアングル部を含み、前記接続部分の各々が、少なくとも１つの開口部を含む、請求項１に記載のデバイス。
【請求項５】
各開口部が螺装され、さらに、各プランジャの外周が螺装され、各プランジャが、関連する開口部内に回転自在に配設された、請求項４に記載のデバイス。
【請求項６】
前記フレームが、各接続部分の端部から垂直方向に延在する脚部分と、各脚部分の端部に配設された足部分と、をさらに含む、請求項４に記載のデバイス。
【請求項７】
各足部分上に、前記フレームを表面に取り付けるための伸長剥離性接着剤が設けられた、請求項６に記載のデバイス。
【請求項８】
前記フレームが、同一の接続部分から延在する一対の平行な脚部分をさらに含む、請求項４に記載のデバイス。
【請求項９】
前記プランジャの各々が、伸長剥離性接着剤を受け入れるように構成されたヘッドを含む、請求項１に記載のデバイス。
【請求項１０】
前記プランジャの各々が、関連するプランジャを手動で作動しやすいようにするためのハンドルを含む、請求項９に記載のデバイス。
【発明の詳細な説明】
【技術分野】
【０００１】
本発明は、一般に、表面または物体に２以上の圧縮力または張力をかけるために使用可能なデバイスに関し、さらに詳しく言えば、伸長剥離性接着剤を用いてある角度に設けた１以上の表面に取り付け可能であり、表面にしっかりと取り付け可能であるが、表面にダメージを与えることなく、表面から容易かつきれいに取り外すこともできるデバイスに関する。
【背景技術】
【０００２】
従来技術において、アングルクランプが知られている。例えば、特許文献１（コフマン（Ｃｏｆｆｍａｎ））には、２つの隣接するセグメントを近接した関係に維持するためのクランプが開示されている。また、従来技術において、吸引付着可能なクランプが知られている。例えば、特許文献２（ヘーゼ（Ｈａｅｓｅ））には、風防ガラスなどの表面に対して成形品または取り付けブラケットなどの物体を支えるための吸引付着可能な保持クランプが開示されている。特許文献３（コナー（Ｃｏｎｎｅｒ））には、接着材料の硬化または乾燥中に、自動車のフロントガラスやリヤウィンドウ上の適所で成形品を支えると同時に、隣接する表面へのダメージも防ぐ吸引クランプが開示されている。しかしながら、このようなクランプは、使い方が難しく、高価であり、締め付け力／圧縮力の生成に限度があり、吸引クランプの場合に最も良好に作用する表面は、金属やガラスなど、きれいで、わずかに湿った非多孔性表面である。
【特許文献１】米国特許第６，３１８，７１２号明細書
【特許文献２】米国特許第５，８２０，１１６号明細書
【特許文献３】米国特許第４，４５７，５０３号明細書
【発明の開示】
【発明が解決しようとする課題】
【０００３】
したがって、ある角度で２以上の力をかけるために使用可能な単純かつ安価なクランプ様デバイスが必要とされている。また、種々の最終用途に合わせて使用可能であり、種々の条件下で種々の表面上で使用可能である前述したようなデバイスが必要とされる。
【課題を解決するための手段】
【０００４】
以上のことを鑑みて、角度付き表面または角度付き表面をなす２つのアイテムにしっかりと固定可能であり、表面にダメージを与えたり、望ましくない接着剤残留物を残したりすることなく、容易に取り外し可能である単純で安価な片面クランプ様デバイスを提供することが望まれる。また、圧縮力をかけるためのクランプと、引張力や張力を生成するためのデバイスとの両方として使用可能であるこのようなクランプ様デバイスを提供することも望まれる。また、金属、ガラス、紙、石工材、および未仕上げ木材を含む多種多様な表面上で使用可能であり、金属やガラスなどの非多孔性表面での使用に限定されないデバイスを提供することも望まれる。
【０００５】
本発明により、表面に適用可能であり、クランプとして使用可能なだけでなく、表面または物体上の選択した場所に引張力または張力を生成するためにも使用可能である単純で安価なアングルクランプ様デバイスを提供することによって、この分野における上述した制限が解消される。また、本発明により、紙、木材、および石工材を含む多種多様な表面上で使用可能であり、金属やガラスなどの非多孔性表面での使用に限定されないデバイスが提供される。
【０００６】
１つの実施形態において、本発明により、フレームと、フレームに可動接続され、ある角度に配設された少なくとも２つのプランジャと、フレームおよびプランジャの少なくとも１つに取り付けられた両面伸長剥離性接着剤と、を備え、フレームおよび／またはプランジャが、表面にしっかりと接着接合可能であり、接着剤を伸長させることによって、表面にダメージを与えることなく表面からきれいに取り外し可能である、クランプ様デバイスが提供される。
【０００７】
１つの態様において、伸長剥離性接着剤は、フレームに取り付けられる。別の態様において、伸長剥離性接着剤は、プランジャに取り付けられる。
【０００８】
１つの特定の実施形態において、フレームは、ある角度に配設された一対の接続部分を含むアングル部を含み、接続部分の各々は、少なくとも１つの開口部を含む。別の態様において、各開口部は螺装され、各プランジャの外周が螺装されることで、プランジャは開口部と噛み合い、関連する開口部内に回転自在に配設される。
【０００９】
本発明のさらなる特定の態様において、フレームは、各接続部分の端部から垂直方向に延在する脚部分をさらに含み、各脚部分の端部に配設された足部分をさらに含む。別の態様において、各足部分上に、フレームを表面に取り付けるための伸長剥離性接着剤が設けられる。
【００１０】
別の実施形態において、フレームは、同一の接続部分から延在する一対の平行な脚部分を含む。
【００１１】
別の態様において、プランジャは、伸長剥離性接着剤を受け入れるように構成されたヘッドを含む。プランジャは、関連するプランジャを手動で作動しやすいようにするためのハンドルも含む。
【００１２】
本発明は、ホットメルト接着剤、膠剤、またはエポキシなどの接着剤が、凝固し、乾燥し、または硬化する間、１以上の物体を適所に支えることなどの多種多様な使用または用途に合わせて使用され得る。これは、例えば、絵画用額縁の部品を接合する際に有用なこともある。また、デバイスには、表面または物体にマーキング、穿孔、または穴を形成するための尖った先端部またはドリルビットが設けられてもよい。本発明はまた、家庭、オフィス、または産業上の利用で木工業、手工業、または他の使用での用途が見出されてもよい。例えば、本発明は、紙片や木片を型打ちまたはエンボス加工するために使用されてもよい。
【００１３】
添付の図面を参照しながら、本発明についてさらに記載する。
【発明を実施するための最良の形態】
【００１４】
以下、図面を参照すると、図１および図２は、フレーム４と、フレーム４に回転自在に取り付けられた第１および第２のプランジャ６、８と、フレーム４を表面１４に取り外し可能に接着接合するためにフレーム４に取り付けられた、両面伸長剥離性接着ストリップ１０、１２と、表面１４、またはプランジャ６、８と表面１４との間に配設されてもよい物体（図示せず）のいずれかにプランジャ６、８を接着接合するために、プランジャ６、８に取り付けられた両面伸長剥離性接着ストリップ１６、１８と、を含む、アングルクランプ様デバイス２を示す。本願明細書および添付の図面を通して、機能的に類似した特徴は、数字を１００ずつ増やした同様の参照番号を用いて参照している。
【００１５】
伸長剥離性接着テープは、強力な保持力と、きれいに取り外せて表面にダメージを与えない特性と、を兼ね備えた高性能な感圧接着剤の類である。このような伸長剥離性接着テープは、多種多様な組み立て、連結、取り付け、据付の用途において有用である。両面接着ストリップ１０、１２、１６、１８は、弾性バッキング付きの伸長剥離性接着テープ、高い伸張性を備え実質的に弾力性のないバッキング付きの伸張剥離性接着テープ、または固体弾性感圧接着剤を含む伸張剥離性接着テープを含む、従来知られている任意の伸張剥離性接着テープであってもよい。最終用途で、例えば、フレーム４またはプランジャ６、８を表面１４に取り付ける必要がない場合、両面伸長剥離性接着ストリップ１０、１２、１６、１８の１以上を、クッション性を与えてデバイス２が取り付けられる表面１４を保護するように、デバイス２に接着接合される片面接着ストリップと取り替えることが望ましいこともある。
【００１６】
本発明のさまざまな実施形態において使用するのに適した特定のテープとしては、米国特許第４，０２４，３１２号明細書（コープマン（Ｋｏｒｐｍａｎ））に記載された弾性バッキング付き感圧接着テープと、米国特許第５，５１６，５８１号明細書（クレッケル（Ｋｒｅｃｋｅｌ）ら）およびブリース（Ｂｒｉｅｓ）ら（同第６，２３１，９６２号明細書）に記載された高い伸張性を備え実質的に弾力性のないバッキング付きの感圧接着テープと、独国特許第３３  ３１  ０１６号明細書に記載された固体弾性感圧接着剤と、が挙げられる。
【００１７】
市販されている適切な両面伸長剥離性接着テープは、「コマンド」（ＣＯＭＭＡＮＤ）接着剤という商品名で、ミネソタ州セントポールのスリーエム・カンパニー（３Ｍ  Ｃｏｍｐａｎｙ（Ｓｔ．Ｐａｕｌ，Ｍｉｎｎｅｓｏｔａ））によって販売されている製品である。この製品は、取り外し中にストリップが伸長しやすいように、ストリップの一端に非接着性のプルタブを含む別個のストリップとして現在製造されている。
【００１８】
例示した実施形態において、フレーム４は、ある角度に配設された第１および第２の接続部分２０ａ、２０ｂを含むアングル部２０を含む。接続部分２０ａ、２０ｂが、デバイスの意図した最終用途に応じて任意の角度に配設されてもよく、またはデバイスに、角度を調節できるようにするためのヒンジが設けられてもよいことが理解されるであろう。各接続部分２０ａ、２０ｂは、プランジャ６、８をそれぞれ収容するためのねじ付き開口部２２、２４をそれぞれ含む。フレーム４は、各接続部分２０ａ、２０ｂの端部からそれぞれ垂直方向に延在する脚部分２０ｃ、２０ｄと、各脚部分の端部に配設された足部分２０ｅ、２０ｆと、をさらに含む。フレーム４を表面１４に接着接合して、デバイス２を表面１４にしっかりと接合するために、脚部分２０ｅ、２０ｆの底面のそれぞれに、接着ストリップ１０、１２が貼り付けられる。
【００１９】
プランジャ６、８は、接続部分２０ａ、２０ｂのそれぞれに略垂直に配設され、フレーム４にある開口部２２、２４とそれぞれ回転可能に係合する円筒状のねじ付き本体部分６ａ、８ａと、プランジャ６、８を手動で回転させやすいように、本体部分６ａ、８ａの一端に配設されたハンドル２６、２８と、ハンドル２６、２８の反対側の本体部分６ａ、８ａの端部に配設されたヘッド３０、３２と、を含む。ハンドル２６、２８は、ユーザーがハンドル２６、２８に手が届きやすいようにして、プランジャ６、８を手動で回転させることができるように、フレーム４の接続部分２０ａ、２０ｂの上方に配設される。ヘッド３０、３２は、接続部分２０ａ、２０ｂの下方に配設され、表面に力をかけるように表面１４の方向、または表面に対して張力を発生させるように表面１４から離れる方向のいずれかに、ハンドル２６、２８を介してプランジャ６、８を回転作動させることによって軸方向に可動である。ヘッド３０、３２は、本体部分６ａ、８ａおよびヘッド３０、３２が独立して移動できるようにスリップ嵌合タイプの接続部を有するプランジャ６、８に接続されることが好ましい。すなわち、プランジャ本体部分６ａ、８ａは、ヘッド３０、３２を静止したまま回転させてもよく、ヘッドは、プランジャ本体部分６ａ、８ａに対して旋回させてもよい。
【００２０】
デバイス２をクランプとして使用するために、デバイスは、伸張剥離性接着ストリップ１０、１２で表面１４に取り付けられる。次いで、プランジャ６、８の一方または両方を、ヘッド３０、３２が表面１４の方向に移動するように回転させる。プランジャ６、８が表面１４の方へ移動し、表面１４と係合すると、表面１４に圧縮力がかけられる。このようにして使用する場合、デバイスは、例えば、絵画用額縁の２つの部品であってもよい２つのアイテム３４、３６を連結するために使用可能である。このようにして（すなわち、クランプとして、または表面に圧縮力を発生させるために）デバイスが使用される場合、接着ストリップ１０、１２は、デバイス２を表面１４に隣接させて維持するために必要とされるが、接着ストリップ１６、１８は、プランジャ６、８が圧縮によって表面１４と接触した状態に維持されるため不要であることが理解されるであろう。別の言い方をすれば、デバイス２がクランプとして使用される場合、プランジャ６、８は、表面１４に対して推し進められ、その結果として、表面１４は、フレーム４を表面１４から離れる方向に推し進め、接着ストリップ１０、１２は、プランジャ６、８が表面に圧縮力をかけることができるようにフレーム４を表面１４と接触した状態に保つ働きをする。デバイス２を表面１４から取り外すために、各接着ストリップ１０、１２は、接着ストリップをデバイスおよび表面から同時に剥離するように既知の方法で伸長される。
【００２１】
逆に、表面１４、または表面１４とヘッド３０、３２との間に配設された物体（図示せず）に引張力または伸長力を発生させるための引張デバイスとしてデバイス２を使用するために、ヘッド３０、３２は、伸長剥離性接着ストリップ１６、１８で表面３４に取り付けることで、表面１４、またはヘッド３０、３２と接着ストリップ１６、１８との間に配設された物体（図示せず）にプランジャ６、８を接着接合する。このようにして、ヘッド３０、３２が表面１４から離れる方向に移動するようにプランジャ６、８が回転する場合、表面１４または物体に張力がかかることになる。このようにして（すなわち、表面に対して張力を発生させるための引張デバイスとして）使用する場合、接着ストリップ１６、１８は、表面１４または物体にプランジャ６、８を取り付けるために必要とされるが、接着ストリップ１０、１２は、デバイスが圧縮によって表面１４に接触した状態に維持されるため、デバイス２を表面に固定させるためには不要であることが理解されるであろう。
【００２２】
図３は、本発明の別の実施形態によるデバイス１０２を示す。デバイス１０２は、上記の図１および図２に示し記載するデバイス２に類似しているが、図３に示すデバイス１０２では、両方の脚部分１２０ｃ、１２０ｄが、同一の接続部分１２０ａから延在し、平行であり、第２のプランジャ１０８には、必要な力を生成するために、ねじ付き接続部ではなく、ばね１４０が設けられている点が異なる。
【００２３】
デバイス１０２は、フレーム１０４と、フレーム１０４に回転自在に取り付けられたプランジャ１０６、１０８と、フレーム１０４を表面１１４に取り外し可能に接着接合するために、フレーム１０４に取り付けられた両面伸長剥離性接着ストリップ１１０、１１２と、表面１１４、またはプランジャ１０６、１０８と表面１１４との間に配設された物体１３８にプランジャ部材１０６を接着接合するためにプランジャ１０６、１０８に取り付けられた両面伸長剥離性接着ストリップ１１６、１１８と、を含む。
【００２４】
フレーム１０４は、ある角度に配設された第１および第２の接続部分１２０ａ、１２０ｂを含むアングル部１２０を含む。図１および図２に示す実施形態の場合のように、接続部分１２０ａ、１２０ｂが、デバイスの意図した最終用途に応じて任意の角度に配設されてもよく、またはデバイスに、角度を調節できるようにするためのヒンジが設けられてもよい。各接続部分１２０ａ、１２０ｂは、プランジャ１０６、１０８をそれぞれ収容するための開口部１２２、１２４をそれぞれ含む。この実施形態において、開口部１２２は、プランジャ１０６を回転自在に収容するように構成された開口部２２および２４に類似したねじ付き開口部であるが、開口部１２４は、螺装されておらず、プランジャ１０８を滑動可能に収容するように構成される。
【００２５】
フレーム１０４は、第１の接続部分１２０ａから同一方向に延在する間隔を置いて設けられた平行な脚部分１２０ｃ、１２０ｄと、各脚部分１２０ｃ、１２０ｄの端部に配設された足部分１２０ｅ、１２０ｆと、をさらに含む。フレーム１０４を表面１１４に接着接合して、デバイス１０２を表面１１４にしっかりと接合するために、脚部分１２０ｅ、１２０ｆの底面のそれぞれに、接着ストリップ１１０、１１２が貼り付けられる。
【００２６】
接続部分１２０ａに対して略垂直方向に、各プランジャ１０６、１０８が配設される。プランジャ１０６は、開口部１２２と回転自在に係合し噛み合うねじ付き円筒状の本体部分１０６ａを含む。プランジャ１０８は、開口部１２４と滑動可能に係合する本体部分１０８を含む。各プランジャ１０６、１０８は、プランジャ１０６、１０８を手動で作動しやすいように、本体部分１０６ａ、１０８ａの一端に配設されたハンドル１２６、１２８と、ハンドル１２６、１２８の反対側にある本体部分１０６ａ、１０８ａの端部に配設されたヘッド１３０、１３２と、を含む。図１および図２の実施形態の場合のように、ヘッド１２６、１２８は、本体部分１０６ａ、１０８ａおよびヘッド１２６、１２８が独立して移動できるようにスリップ嵌合タイプの接続部を有するプランジャ１０６、１０８に接続されることが好ましい。
【００２７】
接続部分１２０ｂとヘッド１３２との間に、ばね１４０が設けられる。プランジャ１０８が、表面１１４から離れる方向に付勢されると、ばね１４０は圧縮され、ヘッド１３２を表面１１４の方向に付勢する。このようにして（すなわち、圧縮力を発生させるためのクランプとして）デバイスが使用される場合、接着ストリップ１１０、１１２は、表面１１４にデバイス１０２を取り付けるために必要とされるが、接着ストリップ１１６、１１８は、プランジャ１０６、１０８が圧縮によって表面１１４と接触状態に維持されるために不要であることが理解されるであろう。表面１１４からデバイス１０２を取り外すために、各接着ストリップ１１０、１１２は、デバイスと表面から接着ストリップを同時に剥離するために既知の方法で伸長される。
【００２８】
あるいは、ばね１４０は、接続部分１２０ｂおよびヘッド１３２に取り付けられた引張ばねであり得、ばねが接続部分１２０ｂから離れる方向に付勢されると、ばねは張力がかかった状態にされる。ヘッド１３２が、接着ストリップ１１８を介して物体１３８に接着接合されると、物体１３８に張力がかかる。
【００２９】
デバイス１０２は、図１のデバイスと同じ方法で表面１１４または物体１３８に力を印加するためのクランプとして使用されてもよいが、ばね１４０がプランジャ１０８に関連付けられた力を発生する点が図１のデバイスとは異なる。さらに詳しく言えば、ヘッド１３０が表面１１４の方向に移動し、ばね１４０が表面１１４の方へヘッド１３２を付勢するようにプランジャ１０６を回転させる。プランジャ１０６、１０８が、表面１１４および物体１３８の方へ移動し係合するにつれ、表面および物体のそれぞれに、圧縮力がかかる。さらに、表面１１４および物体１３８に引張力または伸長力を与えるようにデバイス１０２を使用するために、ヘッド１３０、１３２に伸長剥離性接着ストリップ１１６、１１８が取り付けられて、プランジャ１０６、１０８を表面１１４および物体１３８のそれぞれに接着接合する。このようにして、プランジャ１０６、１０８が、プランジャ１０６を回転作動させることによって、またはばね１４０により与えられるばね力によって、表面１１４および物体１３８から離れる方向に移動すると、表面１１４および物体１３８のそれぞれに張力がかかる。張力を発生させるためにデバイス１０２が使用される場合、プランジャ１０６、１０８を関連する表面１１４および物体１３８に取り付けるために接着ストリップ１１６、１１８を使用し、フレームを表面１１４に取り付けるために接着ストリップ１１０、１１２を使用することも好ましい。
【００３０】
フレームおよびプランジャの両方を含むデバイスは、デバイスの特定の意図した最終用途に応じて、種々の材料から形成されてもよい。適切な材料としては、鋼などの金属、ポリカーボネートおよびポリ塩化ビニルなどの合成プラスチック材料、および木材が挙げられる。選択した特定の材料は、十分な強度、低コスト、製造の容易さなどの性質の所望の組み合わせが得られる限り、本発明においては重要ではない。
【００３１】
上述した本発明の概念から逸脱することなく、さまざまな変形および変更がなされてもよいことは、当業者らに明らかであろう。例えば、デバイスのサイズおよび形状は、ある特定の最終用途に合わせてデバイスを適応させるために変更されてもよく、本体部材およびプランジャは、ねじ付き接続部以外の手段によって移動可能に取り付けられてもよく、接着ストリップの数およびサイズは変更されてもよく、デバイスに意図された特定の最終用途に応じて、プランジャに、尖った先端部、ドリルビット、または他の手段が設けられてもよいことが理解されるであろう。したがって、本発明の範囲は、本願に記載する構造に限定されるべきではなく、特許請求の範囲の文言により記載された構造およびそれらの構造の均等物によってのみ限定されるものとする。
【図面の簡単な説明】
【００３２】
【図１】本発明によるデバイスの斜視図である。
【図２】表面に取り付けられた図１のデバイスの側面図である。
【図３】表面に取り付けられた本発明の別の実施形態の側面図である。
【図１】
2007512972.tif 000003
【図２】
2007512972.tif 000004
【図３】
2007512972.tif 000005
【手続補正書】
【提出日】平成17年10月1日(2005.10.1)
【手続補正１】
【補正対象書類名】特許請求の範囲
【補正対象項目名】全文
【補正方法】変更
【補正の内容】
【特許請求の範囲】
【請求項１】
（ａ）フレームと、
（ｂ）前記フレームに可動接続され、ある角度に配設された少なくとも２つのプランジャと、
（ｃ）前記プランジャに取り付けられた両面伸長剥離性接着剤と、を備える、クランプ様デバイス。
【請求項２】
前記伸長剥離性接着剤が、前記フレームに取り付けられた、請求項１に記載のデバイス。
【請求項３】
前記フレームが、ある角度に配設された一対の接続部分を含むアングル部を含み、前記接続部分の各々が、少なくとも１つの開口部を含む、請求項１に記載のデバイス。
【請求項４】
各開口部が螺装され、さらに、各プランジャの外周が螺装され、各プランジャが、関連する開口部内に回転自在に配設された、請求項３に記載のデバイス。
【請求項５】
前記フレームが、各接続部分の端部から垂直方向に延在する脚部分と、各脚部分の端部に配設された足部分と、をさらに含む、請求項３に記載のデバイス。
【請求項６】
各足部分上に、前記フレームを表面に取り付けるための伸長剥離性接着剤が設けられた、請求項５に記載のデバイス。
【請求項７】
前記フレームが、同一の接続部分から延在する一対の平行な脚部分をさらに含む、請求項３〜６のいずれか一項に記載のデバイス。
【請求項８】
前記プランジャの各々が、伸長剥離性接着剤を受け入れるように構成されたヘッドを含む、請求項１〜７のいずれか一項に記載のデバイス。
【請求項９】
前記プランジャの各々が、関連するプランジャを手動で作動しやすいようにするためのハンドルを含む、請求項１〜８のいずれか一項に記載のデバイス。
【国際調査報告】
2007512972.tif 000006
2007512972.tif 000007
2007512972.tif 000008